【手続補正書】
【提出日】平成20年9月24日(2008.9.24)
【手続補正１】
【補正対象書類名】特許請求の範囲
【補正対象項目名】全文
【補正方法】変更
【補正の内容】
【特許請求の範囲】
【請求項１】
サプライヤから、前記サプライヤによって発行されたインボイスのために資金を調達する少なくとも１つの金融機関によって運用可能な、またはそれを補助するべく運用できる負債者承認マネージャにサプライヤ・インボイスの詳細を電子的に送信するべく構成されたサプライヤ・インボイス送信機；および
支払のために承認されたサプライヤ・インボイスの詳細を前記負債者承認マネージャに対して送信するべく電子的にプログラム可能な負債者支払勘定送信機；を含み、
前記負債者承認マネージャは、承認済み負債者のデータベースを含むか、またはそれに対するアクセスを有し、かつ前記サプライヤ・インボイス送信機から、および前記負債者支払勘定送信機からインボイス詳細を受信するべく構成されており、前記負債者承認マネージャは、前記サプライヤ・インボイス送信機から詳細が受信されたインボイスのステータスを、対応するインボイス詳細が前記負債者支払勘定送信機からも受信されたか否か、および前記負債者が承認済み負債者であるか否かに応じて選択的に確認済みまたは検証済み、または未確認として表示し、かつその後（Ｉ）前記インボイス・ステータス情報を金融機関に、前記金融機関がその後前記サプライヤに前記確認済みサプライヤ・インボイスの額のあらかじめ決定されたパーセンテージの額までの信用貸しの提供を考慮できるように送信すること、または（ＩＩ）前記金融機関に代わって前記サプライヤに、前記確認済みサプライヤ・インボイスの額のあらかじめ決定されたパーセンテージの額まで信用貸しを提供することのうちのいずれかを行うべくプログラムされているか、またはプログラム可能である、電子インボイス資金調達システム。
【請求項２】
前記サプライヤ・インボイス送信機および／または前記負債者支払勘定送信機は、前記インボイス詳細を、前記金融機関を補助するか、または前記金融機関によって、またはそれに代わって運用される前記負債者承認マネージャにオンラインで送信するべく構成される、請求項１に記載の電子インボイス資金調達システム。
【請求項３】
前記金融機関によって運用されるか、または運用可能であり、かつ前記インボイス詳細を前記サプライヤ・インボイス送信機から受信するべく電子的に構成されている信用貸しファシリティ・マネージャを含み、前記サプライヤ・インボイス送信機は、サプライヤ・インボイスの詳細を前記負債者承認マネージャに送信することに加えて、サプライヤ・インボイスの詳細を前記信用貸しファシリティ・マネージャに送信するべく電子的に構成される、請求項１に記載の電子インボイス資金調達システム。
【請求項４】
前記負債者承認マネージャまたは好ましくは前記信用貸しファシリティ・マネージャは、前記金融機関に代わってサプライヤ口座をマネージするべく構成される、請求項３に記載の電子インボイス資金調達システム。
【請求項５】
前記負債者承認マネージャまたは好ましくは前記信用貸しファシリティ・マネージャは、前記金融機関および／または前記サプライヤに、前記金融機関にある前記サプライヤの口座の貸借表を提供するべく構成される、請求項４に記載の電子インボイス資金調達システム。
【請求項６】
前記負債者承認マネージャは、インボイス・ステータス情報を前記金融機関に、前記金融機関が前記サプライヤに対する信用貸しまたは資金調達の提供を考慮するために送信するべく構成され、前記ステータス情報は、前記口座貸借表の形式であるか、または単なる信用貸しの限界の通知の形式であり、それによって前記金融機関に、実際の個別のインボイス・ステータスに代えて、前記サプライヤの口座に関する前記信用貸しの限界がどのようにならなければならないかについて知らせる、請求項５に記載の電子インボイス資金調達システム。
【請求項７】
前記負債者承認マネージャは、実際のインボイス・ステータス情報を前記金融機関に、前記金融機関が前記サプライヤに対する信用貸しまたは資金調達の提供を考慮するために送信するべく構成される、請求項５に記載の電子インボイス資金調達システム。
【請求項８】
前記口座貸借表が、前記インボイス資金調達システムを使用することについて前記サプライヤに課金される任意の使用または取引手数料の額も示す、請求項５に記載の電子インボイス資金調達システム。
【請求項９】
前記負債者承認マネージャは、前記金融機関にある前記サプライヤの口座をマネージするべく構成され、前記負債者承認マネージャは、前記負債者承認マネージャのマネージまたは運用を行っているか、かつ／または負債者の信用貸しにおける価値についての情報を前記負債者承認マネージャに提供するエンティティの口座に前記使用または取引手数料の少なくとも一部を移すか、前記口座に振り込むべく構成される、請求項４に記載の電子インボイス資金調達システム。
【請求項１０】
前記信用貸しファシリティ・マネージャは、前記サプライヤに課金される任意の使用または取引手数料の少なくとも一部を、前記負債者承認マネージャのマネージまたは運用を行っているか、かつ／または負債者の信用貸しにおける価値についての情報を前記負債者承認マネージャに提供するエンティティの口座に移すか、前記口座に振り込むべく構成される、請求項３に記載の電子インボイス資金調達システム。
【請求項１１】
前記負債者承認マネージャは、前記金融機関にある前記サプライヤの口座をマネージするべく構成され、前記負債者承認マネージャはまた、前記サプライヤに課金される引受保険料を、確認済みインボイスを基礎として前記サプライヤに対して信用貸しを提供した結果として前記金融機関に生じることがある潜在的な損失について前記金融機関の保険を引き受けるエンティティの口座に移すか、前記口座に振り込むべく構成される、請求項４に記載の電子インボイス資金調達システム。
【請求項１２】
前記信用貸しファシリティ・マネージャは、前記サプライヤに課金される引受保険料を、確認済みインボイスを基礎として前記サプライヤに対して信用貸しを提供した結果として前記金融機関に生じることがある潜在的な損失について前記金融機関の保険を引き受けるエンティティの口座に移すか、前記口座に振り込むべく構成される、請求項３に記載の電子インボイス資金調達システム。
【請求項１３】
前記負債者承認マネージャは、未確認インボイスの詳細を前記金融機関に送信するべく電子的に構成される請求項１に記載の電子インボイス資金調達システム。
【請求項１４】
前記負債者承認マネージャおよび／または前記信用貸しファシリティ・マネージャは、統括勘定または記録簿をマネージするべく構成され、それにおいて統括勘定または記録簿は、提出されたサプライヤ・インボイスの詳細の記録を含む、請求項３に記載の電子インボイス資金調達システム。
【請求項１５】
前記記録は、確認済みまたは未確認インボイスの詳細を含み、したがって確認ステータス表示を含み、前記負債者承認マネージャは、あらかじめ決定された条件の下に記録内の未確認インボイスのステータス表示を確認済みインボイスに変更し、その後（Ｉ）金融機関に対し、前記金融機関が前記サプライヤに対する前記確認済みサプライヤ・インボイスの額のあらかじめ決定されたパーセンテージの額までの信用貸しの提供を考慮できるように、前記受信されたインボイス・ステータス情報を送信すること、または（ＩＩ）前記金融機関に代わって前記サプライヤに対し、前記確認済みサプライヤ・インボイスの額のあらかじめ決定されたパーセンテージの額までの信用貸しを提供することのうちのいずれかを行うべく構成される、請求項１４に記載の電子インボイス資金調達システム。
【請求項１６】
前記信用貸しファシリティ・マネージャは、提出されたサプライヤ・インボイスの詳細の記録を含む統括勘定または記録簿をマネージするべく構成され、前記統括勘定は、少なくとも２つの部分勘定を含み、１つの部分勘定は、前記サプライヤ・インボイス送信機から受信されたすべてのインボイスの詳細を含み、１つの部分勘定は、前記負債者承認マネージャによって確認または検証がなされたインボイスだけの詳細を含む、請求項１４に記載の電子インボイス資金調達システム。
【請求項１７】
承認済み負債者のデータベースを含むか、またはそれに対するアクセスを有する電子的にプログラム可能な負債者承認マネージャであって、サプライヤおよび負債者から通信ネットワークを介してインボイス詳細を受信するべく構成されており、さらに、対応するインボイス詳細が前記サプライヤから、および前記負債者から受信されたか否かをチェックし、かつ前記データベースにアクセスして前記負債者が承認済み負債者であるか否かをチェックし、続いて前記サプライヤから詳細が受信されたインボイスのステータスを、対応するインボイス詳細が前記負債者からも受信されたか否かおよび前記負債者が承認済み負債者であるか否かに応じて選択的に確認済みまたは検証済み、または未確認として表示するべくプログラムされているか、またはプログラム可能である、電子的にプログラム可能な負債者承認マネージャ。
【請求項１８】
（Ｉ）前記インボイス・ステータス情報を金融機関に、前記金融機関がその後前記サプライヤに前記確認済みサプライヤ・インボイスの額のあらかじめ決定されたパーセンテージの額まで信用貸しの提供を考慮できるように自動的に送信すること、または（ＩＩ）前記金融機関に代わって前記サプライヤに、前記確認済みサプライヤ・インボイスの額のあらかじめ決定されたパーセンテージの額まで信用貸しを自動的に提供することのうちのいずれかを行うべく構成される、請求項１７に記載の電子負債者承認マネージャ。
【請求項１９】
前記金融機関に代わって前記サプライヤのための口座をマネージし、かつ前記金融機関および／または前記サプライヤに、前記金融機関にある前記サプライヤの口座の貸借表を提供するべく構成される、請求項１８に記載の電子負債者承認マネージャ。
【請求項２０】
インボイス・ステータス情報を前記金融機関に、前記金融機関が前記サプライヤに対する信用貸しまたは資金調達の提供を考慮するために送信するべく構成され、前記ステータス情報は、前記口座貸借表の形式であるか、または単なる信用貸しの限界の通知の形式であり、それによって前記金融機関に、実際の個別のインボイス・ステータスに代えて、前記サプライヤの口座に関する前記信用貸しの限界がどのようにならなければならないかについて知らせる、請求項１９に記載の電子負債者承認マネージャ。
【請求項２１】
実際のインボイス・ステータス情報を前記金融機関に、前記金融機関が前記サプライヤに対する信用貸しまたは資金調達の提供を考慮するために送信するべく構成される、請求項１９に記載の電子負債者承認マネージャ。